(57)【特許請求の範囲】
【請求項１】
微生物を使用して生ゴミの分解処理がなされる生ゴミ処理機において、
生ゴミが投入される攪拌翼を備えた処理槽と、該処理槽の下部に配され処理槽からの処理済液が一旦貯留される集液槽と、該集液槽からの処理済液が貯留される貯液槽と、を備え、
前記貯液槽は１次並びに２次以上の少なくとも２以上の互いに連通する区画室を有し、該１次区画室には微生物の適量を点滴補給する補給手段を設け、
前記集液槽からリターンポンプを介して前記貯液槽の１次区画室へ処理済液が送られ、該１次区画室から処理済液が処理槽に還流される、
ことを特徴とする微生物循環式生ゴミ処理機。
【請求項２】
貯液槽は集液槽の下部に配される請求項１に記載の微生物循環式生ゴミ処理機。
【請求項３】
貯液槽は集液槽と相並んで配される請求項１に記載の微生物循環式生ゴミ処理機。
【請求項４】
貯液槽の１次区画室から２次以降の区画室への処理済液の連通において、残留物の流れ込みの阻止手段が配される請求項１ないし３のいずれかに記載の微生物循環式生ゴミ処理機。
【請求項５】
貯液槽の１次区画室から処理槽に処理済液が還流される経路中に残留物除去装置を介装させてなる請求項１ないし４のいずれかに記載の微生物循環式生ゴミ処理機。
【請求項６】
貯液槽の２次以降の区画室には処理済液に酸素を送る曝気手段が配される請求項１ないし５のいずれかに記載の微生物循環式生ゴミ処理機。
【請求項７】
集液槽からリターンポンプを介して貯液槽の１次区画室へ処理済液が送られる配管に分岐して、処理済液が処理槽へ送られるバイパス管が配される請求項１ないし６のいずれかに記載の微生物循環式生ゴミ処理機。
【請求項８】
貯液槽の２次以降の区画室には微生物の担持体が収容される請求項１ないし７のいずれかに記載の微生物循環式生ゴミ処理機。
【請求項９】
微生物を使用して生ゴミの分解処理がなされる生ゴミ処理機において、生ゴミが投入される攪拌翼を備えた処理槽と、該処理槽の下部に配され処理槽からの処理済液が一旦貯留される集液槽と、該集水槽からの処理済液が貯留される貯液槽と、を備え、前記貯液槽は１次並びに２次以上の少なくとも２以上の互いに連通する区画室を有し、該１次区画室には微生物の適量を点滴補給する補給手段を設け、前記集液槽からリターンポンプを介して前記貯液槽の１次区画室へ処理済液が送られ、該１次区画室から処理済液が処理槽に還流される生ゴミ処理機を使用してなされる生ゴミ処理方法であって、
前記攪拌翼の駆動、処理済液の循環、微生物の点滴補給、の各動作を制御して生ゴミを自動的に処理する、
ことを特徴とする生ゴミの処理方法。
【請求項１０】
請求項９において、攪拌翼の駆動時間に伴って、処理済液の循環、微生物の点滴補給の各動作時間を制御する生ゴミの処理方法。
【発明の詳細な説明】
【０００１】
【発明の属する技術分野】
この発明は、有機物に対する微生物の分解能力を利用してなされる生ゴミ処理機に関し、更に詳しくは、当該処理に使用される微生物が循環使用される循環式の生ゴミ処理機に関する。本発明は特に、多量・大容量処理に好適な循環式の生ゴミ処理機に関する。
【０００２】
【従来の技術】
この種の微生物を使用する生ゴミ処理機には、従来よりいわゆるバイオコンポスト型及びバイオ消費型がある。
これらのものは、微生物を住まわせる母材（菌の担持体）に杉のチップを用いる場合が多く、母材に付き日処理量の４〜６倍の量が投入され、微生物も日処理量の１〜２倍が投入され、温度は２５〜７５℃とされる。
しかしながら、この種の生ゴミ処理機は、
▲１▼生ゴミの水分を十分に切ることが必要で、その前処理が煩雑である。
▲２▼温度管理に厳格性を要し、高温状態が持続すると乾燥状態となり微生物が死滅し、再始動の手間がかかる。また、低温であると湿潤過多となり、不衛生となり、機械装置の誤動作要因となる。
▲３▼母材の投入量が多いうえに、短期間のうちに母材の全部取替えが必要となり、維持費用が嵩む、等の種々の不具合がある。
【０００３】
この実情に鑑み、本出願人は微生物を利用する生ゴミ処理に付き、母材の投入量の削減をなすとともに、生ゴミの処理能力の増大を図り、かつ、生ゴミの水切りの負担を可及的に無くし、更には温度管理を容易に行うことのできる生ゴミ処理機を提供することを目的とし、以下の湿式微生物生ゴミ処理機を提案した。
すなわち、微生物を使用して生ゴミの分解処理がなされる生ゴミ処理機において、生ゴミが投入される攪拌翼を備えた処理槽と、該処理槽の下部に配されるとともに、処理槽からの処理済液が貯留される貯水槽、とを備え、当該処理槽には給水管からの給水を受けて該処理槽内に散水する散水手段が配され、当該貯水槽には該貯水槽の上部から貯留液体の逸出流を導く排水管が取り付けられるとともに、他の給水管が該貯水槽に接続され、該他の給水管からの給水により当該処理済液を希釈するとともに、当該貯水槽の貯留液体を当該処理槽に還流する還流手段を備えてなる、ことを特徴とする。
また、曝気手段により処理済液に酸素が吹き込まれ、微生物を活性化する手段が採られる。
更にまた、加熱手段により貯留水は適温に保持され、微生物を活性化する手段が採られる。
（作用）
しかして、この生ゴミ処理機において、処理槽に微生物の担持体とともに生ゴミが投入され、攪拌翼により一定時間攪拌され、更に、散水手段によって清水が散布される。生ゴミの含有水分・散水は処理槽の底部よりその下の貯水槽に落下し、貯留される。この貯留水には微生物が含まれている。
貯留水が次第に増加し、その液位が上昇し、上部にまで達すると排水管に溢れ出し、排水される。排水管には給水管を介して清水が注入され、希釈される。また、貯水槽内の貯留水に清水が注入され、貯水槽においても希釈される。
この間、適宜貯水槽から貯水槽内の処理済液が処理槽に還流手段を介して還流される。
曝気手段からは処理済液に酸素が吹き込まれ、微生物を活性化する。
また、加熱手段により貯留水は適温に保持され、これによっても微生物を活性化する。
（効果）
処理槽及び貯水槽を通じて、微生物は湿式環境の中で活動し、かつ、処理槽及び貯水槽を循環するので、生ゴミ対する微生物は有効に使用され、分解処理能力が向上する。
【０００４】
【発明が解決しようとする課題】
しかし、当該提案に係るものにおいて、第１に、処理済液が直接に単一の貯留槽に流れ込むものであり、処理槽の細孔を通過した固形物がスラッジとなって溜まり、このスラッジの存在により清明な処理水が得られ難く、直ちには下水道へ放出することができないものである。また、第２に、当該提案は少量処理が基本となり、多量な生ゴミに対しては効率が劣ること、更には、使用される微生物の使用が多く、この点からも大量処理が困難なこと、等の問題点がある。
本発明者は、先ず第１の点に付き、貯留槽を順次流下することにより、かつその流下する過程でスラッジの混入を阻止することがこの解決に至るとの知見を得たものである。また、第２の点に付いては、貯留槽の容量が小さく、かつこの貯留槽が処理槽と一体として配されること、貯留槽に貯留作用、希釈作用かつは曝気作用の多機能を持たせたこと、更には、微生物の投入の時機に付き格別の配慮がなされていないこと、が起因しているものと認識し、この知見のもとに大量の生ゴミ処理が可能な大容量の湿式微生物生ゴミ処理機を提供することを図ったものである。
【０００５】
【課題を解決するための手段】
本発明は具体的には以下の構成を採る。
第１の本発明の微生物循環式生ゴミ処理機は、請求項１に記載のとおり、微生物を使用して生ゴミの分解処理がなされる生ゴミ処理機において、
生ゴミが投入される攪拌翼を備えた処理槽と、該処理槽の下部に配され処理槽からの処理済液が一旦貯留される集液槽と、該集水槽からの処理済液が貯留される貯液槽と、を備え、
前記貯液槽は１次並びに２次以上の少なくとも２以上の互いに連通する区画室を有し、該１次区画室には微生物の適量を点滴補給する補給手段を設け、
前記集液槽からリターンポンプ（揚液ポンプ、以下同じ）を介して前記貯液槽の１次区画室へ処理済液が送られ、該１次区画室から処理済液が処理槽に還流されることを特徴とする。
上記構成において、
▲１▼貯液槽は集液槽の下部に配されること、
▲２▼貯液槽は集液槽と相並んで配されること、
▲３▼貯液槽の１次区画室から２次以降の区画室への処理済液の連通において、残留物の流れ込みの阻止手段が配されること、
▲４▼１次区画室から処理槽に処理済液が還流される経路中に残留物除去装置を介装させてなること、
▲５▼貯液槽の２次以降の区画室には処理済液に酸素を送る曝気手段が配されること、
▲６▼集液槽からリターンポンプを介して貯液槽の１次区画室へ処理済液が送られる配管に分岐して、処理済液が処理槽へ送られるバイパス管が配されること、
▲７▼貯液槽の２次以降の区画室には微生物の担持体が収容されること、
は適宜採択される選択的事項である。
この生ゴミ処理機において、攪拌翼の駆動、処理済液の還流、微生物の点滴補給、の各動作は制御変量として所定の手順をもって、自動、手動、もしくは半自動等により操作されるものである。更に、制御変量に曝気手段の曝気、加熱手段の加熱、散水手段による散水が加えられる。
【０００６】
第２の本発明の微生物循環式生ゴミ処理機は、微生物を使用して生ゴミの分解処理がなされる生ゴミ処理機において、
生ゴミが投入される攪拌翼を備えた処理槽と、該処理槽の下部に配され処理槽からの処理済液が一旦貯留される集液槽と、該集水槽からの処理済液が貯留される貯液槽と、を備え、
前記集液槽には微生物の適量を点滴補給する補給装置を設け、
前記集液槽からリターンポンプを介して前記処理槽に処理済液が還流され、
前記集液槽から、前記リターンポンプもしくは別のリターンポンプにより、前記貯液槽へ処理済液が送られることを特徴とする。
上記構成において、
▲１▼貯液槽は１次並びに２次以上の少なくとも２以上の互いに連通する区画室を有し、集液槽からの処理済液は該貯液槽の１次区画室へ送られること、
▲２▼前記▲１▼において貯液槽の１次区画室から処理済液が処理槽に還流されること、▲３▼貯液槽には処理済液に酸素を送る曝気手段が配されること、
は適宜なされる選択的事項である。
この生ゴミ処理機において、攪拌翼の駆動、処理済液の還流、微生物の点滴補給、の各動作は制御変量として所定の手順をもって、自動、手動、もしくは半自動等により操作されるものである。更に、制御変量に曝気手段の曝気、加熱手段の加熱、散水手段による散水が加えられる。
【０００７】
第３の本発明の微生物循環式生ゴミ処理機は、微生物を使用して生ゴミの分解処理がなされる生ゴミ処理機において、
生ゴミが投入される攪拌翼を備えた処理槽と、該処理槽の下部に配され処理槽からの処理済液を収集する集液槽と、処理槽とは別位置に配され該集液槽からの処理済液が貯留される貯液槽と、を備え、
前記貯液槽から処理済液が前記処理槽に還流されることを特徴とする。
上記構成において、
▲１▼貯液槽は１次並びに２次以上の少なくとも２以上の互いに連通する区画室を有すること、
▲２▼前記▲１▼において、集液槽から貯液槽の１次区画室へ処理済液が送られ、該１次区画室には微生物が適量にわたって点滴補給を受け、該１次区画室から処理済液が処理槽に還流されること、
▲３▼貯液槽には処理済液に酸素を送る曝気手段が配されること、
は適宜なされる選択的事項である。
この生ゴミ処理機において、攪拌翼の駆動、処理済液の還流、微生物の点滴補給、の各動作は制御変量として所定の手順をもって、自動、手動、もしくは半自動等により操作されるものである。更に、制御変量に曝気手段の曝気、加熱手段の加熱、散水手段による散水が加えられる。
【０００８】
本発明は更に、上記第１発明に係る生ゴミ処理機における処理方法に係り、微生物を使用して生ゴミの分解処理がなされる生ゴミ処理機において、生ゴミが投入される攪拌翼を備えた処理槽と、該処理槽の下部に配され処理槽からの処理済液が一旦貯留される集液槽と、該集水槽からの処理済液が貯留される貯液槽と、を備え、前記貯液槽は１次並びに２次以上の少なくとも２以上の互いに連通する区画室を有し、該１次区画室には微生物の適量を点滴補給する補給手段を設け、前記集液槽からリターンポンプを介して前記貯液槽の１次区画室へ処理済液が送られ、該１次区画室から処理済液が処理槽に還流される生ゴミ処理機を使用してなされる生ゴミ処理方法であって、
前記攪拌翼の駆動、処理済液の循環、微生物の点滴補給、の各動作を制御して生ゴミを自動的に処理することを特徴とする。
上記構成において、攪拌翼の駆動時間に伴って、処理済液の循環、微生物の点滴補給の各動作時間を制御すること、は適宜なされる選択的事項である。
また、上記構成において、攪拌翼の駆動、処理済液の循環、微生物の点滴補給、は制御変量として所定の制御方式・手順をもって操作されるものである。更に、制御変量に曝気手段の曝気、加熱手段の加熱が加えられる。
上記の各制御変量の関係及び処理手順は以下の実施形態で具体的に述べられるが、それに限定されるものではなく、実現可能な種々の態様が採られうる。
以下はその制御方法の例示である。
▲１▼各制御変量を時間をもって制御する。すなわち、攪拌翼の駆動時間に対応して、還流・点滴量・散水・希釈の所定の単位供給量のもとに所要の時間にわたって供給すること。この場合、生ゴミの量はほぼ一定とされる。シーケンス制御はこの制御方法の一態様である。
▲２▼処理の対象となる生ゴミの投入量に応じて制御変量を時間及び量において可変的に制御する。センサーによる検出値に基づいてなされる制御変量の制御はその一例であり、いわゆるプログラム制御を採る。
▲３▼排水濃度を所定値に保って各制御変量を操作する。
【０００９】
本発明は更に、上記第２発明に係る生ゴミ処理機における処理方法に係り、微生物を使用して生ゴミの分解処理がなされる生ゴミ処理機において、生ゴミが投入される攪拌翼を備えた処理槽と、該処理槽の下部に配され処理槽からの処理済液が一旦貯留される集液槽と、該集水槽からの処理済液が貯留される貯液槽と、を備え、前記集液槽には微生物の適量を点滴補給する補給装置を設け、前記集液槽からリターンポンプを介して前記処理槽に処理済液が還流され、前記集液槽から、前記リターンポンプもしくは別のリターンポンプにより、前記貯液槽へ処理済液が送られる生ゴミ処理機を使用してなされる生ゴミ処理方法であって、
前記攪拌翼の駆動、処理済液の循環、微生物の点滴補給、の各動作を制御して生ゴミを自動的に処理することを特徴とする。
上記構成において、攪拌翼の駆動時間に伴って、処理済液の循環、微生物の点滴補給の各動作時間を制御すること、は適宜なされる選択的事項である。
また、上記構成において、攪拌翼の駆動、処理済液の循環、微生物の点滴補給、は制御変量として所定の制御方式・手順をもって操作されるものである。更に、制御変量に曝気手段の曝気、加熱手段の加熱が加えられる。
上記の各制御変量の関係及び処理手順は以下の実施形態で具体的に述べられるが、それに限定されるものではなく、実現可能な種々の態様が採られうる。
以下はその制御方法の例示である。
▲１▼各制御変量を時間をもって制御する。すなわち、攪拌翼の駆動時間に対応して、還流・点滴量・散水・希釈の所定の単位供給量のもとに所要の時間にわたって供給すること。この場合、生ゴミの量はほぼ一定とされる。シーケンス制御はこの制御方法の一態様である。
▲２▼処理の対象となる生ゴミの投入量に応じて制御変量を時間及び量において可変的に制御する。センサーによる検出値に基づいてなされる制御変量の制御はその一例であり、いわゆるプログラム制御を採る。
▲３▼排水濃度を所定値に保って各制御変量を操作する。
【００１０】
本発明は更に、上記第３発明に係る生ゴミ処理機における処理方法に係り、微生物を使用して生ゴミの分解処理がなされる生ゴミ処理機において、
生ゴミが投入される攪拌翼を備えた処理槽と、該処理槽の下部に配され処理槽からの処理済液を収集する集液槽と、処理槽とは別位置に配され該集液槽からの処理済液が貯留される貯液槽と、を備え、前記貯液槽から処理済液が前記処理槽に還流される生ゴミ処理機を使用してなされる生ゴミ処理方法であって、
前記攪拌翼の駆動、処理済液の循環、微生物の点滴補給、の各動作を制御して生ゴミを自動的に処理することを特徴とする。
上記構成において、攪拌翼の駆動時間に伴って、処理済液の循環、微生物の点滴補給の各動作時間を制御すること、は適宜なされる選択的事項である。
また、上記構成において、攪拌翼の駆動、処理済液の循環、微生物の点滴補給、は制御変量として所定の制御方式・手順をもって操作されるものである。更に、制御変量に曝気手段の曝気、加熱手段の加熱が加えられる。
上記の各制御変量の関係及び処理手順は以下の実施形態で具体的に述べられるが、それに限定されるものではなく、実現可能な種々の態様が採られうる。
以下はその制御方法の例示である。
▲１▼各制御変量を時間をもって制御する。すなわち、攪拌翼の駆動時間に対応して、還流・点滴量・散水・希釈の所定の単位供給量のもとに所要の時間にわたって供給すること。この場合、生ゴミの量はほぼ一定とされる。シーケンス制御はこの制御方法の一態様である。
▲２▼処理の対象となる生ゴミの投入量に応じて制御変量を時間及び量において可変的に制御する。センサーによる検出値に基づいてなされる制御変量の制御はその一例であり、いわゆるプログラム制御を採る。
▲３▼排水濃度を所定値に保って各制御変量を操作する。
【００１１】
（作用）
処理槽に微生物の担持体とともに生ゴミが投入され、攪拌翼により一定時間攪拌され、微生物の含まれた処理済液が散布され、また適宜散水手段によって清水が散布される。生ゴミの含有水分・散水は処理槽の底部よりその下の集液槽に落下し、貯留される。この貯留水すなわち処理済液には微生物が含まれている。
処理済液はリターンポンプの作動により、貯液槽の１次区画室へ導かれる。１次区画室では処理済液が沈殿作用を受け、残留物が滞留する。処理済液は貯液槽の２次区画室、３次区画室へと移行する過程で、残留物を濾過し、清明な処理水となる。
貯液槽の１次区画室では微生物が適宜点滴補給される。
更に、貯液槽から貯留槽内の処理済液が処理槽に還流手段（リターンポンプ）を介して還流される。この過程で残留物は処理される。
なお、貯液槽では曝気手段からは処理済液に酸素が吹き込まれ、微生物を活性化し、貯留水を更に浄化する。
また、加熱手段により貯留水は適温に保持され、これによっても微生物を活性化する。
【００１２】
【発明の実施の形態】
本発明の湿式微生物循環式生ゴミ処理機の実施の形態を図面に基づいて説明する。
（第１実施形態）
図１〜図１５は本発明の湿式微生物循環式生ゴミ処理機（以下単に「生ゴミ処理機」という）の一実施形態（第１実施形態）を示す。すなわち、図１・図２はその全体構成を示し、図３〜図６はその要部の構成を示し、図８〜図１２は配管並びに回路構成を示す。図１３〜図１５は更に他の要部の構成を示す。
【００１３】
本実施形態の生ゴミ処理機Ｓは、四角箱状のケース１内において、処理部２、残滓部３、及び該処理部２と該残滓部３とを配管・弁等をもって連通する循環系４、更には循環系４に付加されるバイオ点滴部５、の主要構成をもって構成され、処理部２の上部には投入部７が配され、該ケース１は投入部７を閉じた状態において全体的に密閉状態を保持する。
なお、本実施形態のケース１は、鋼製の柱材並びに梁材からなる骨組体１ａと該骨組体１ａの外側に貼着される板体（パネル）１ｂとにより形成されてなるが、その構造・材質は本発明にとって非本質的事項であり、他の構造・材質を除外するものではない。また、１ｃは脚部である。
【００１４】
処理部２（図１〜図３参照）
処理部２は、処理槽１０とその下部に配される集液槽１１とからなる。
処理部２を構成する処理槽１０と集液槽１１とは、一体もしくは別体、どの態様も採りうる。処理槽１０と集液槽１１とは小孔を介して連通するが、全体としては気密状態を保持する。該処理部２は集液槽１1 をもって全重量を支持する態様、あるいは処理槽１０をケース１の骨組体に荷重を預ける態様、適宜の態様を採り得る。
【００１５】
処理槽１０
処理槽１０は、内部に投入された生ゴミを分解処理するものであり、その内部に配された攪拌手段１３、循環水放出管１４をもって分解処理を行う。処理槽１０は水密を保つ槽本体１５よりなり、半円筒状の底部に小孔１６が多数開設され、水分（処理剤液）は該小孔１６を介して下方の集水槽１１へ滴下する。
処理槽１０には処理対象となる生ゴミが投入される外、微生物固定担体の単種もしくは複数種が投入される。
なお、処理槽１０内には、後記するように、散水管が循環水放出管１４に相並んで配される。
（攪拌手段１３）
処理槽１０の内部の攪拌手段１３は、回転軸１７に攪拌翼１８が複数箇所（本実施形態では１１か所）にわたって取り付けられてなる。攪拌翼１８は処理槽１０の処理容量に応じて自在に設けられ、その数に限定されない。各攪拌翼１８は回転軸１７の取付け部１８ａを介して軸板１８ｂが固定され、該軸板１８ｂに攪拌板１８ｃが１〜３枚（本図例では２枚）固設されてなる。各攪拌翼18は互いに位相を違え、全体として均等割に配される。また、各攪拌翼１８は回転軸１７より一方向の突設するが、二方向（１８０°）へ突設されてもよい。
回転軸１７は槽本体１５を水密を保持して貫通し、両側の軸受１９によって回転自在に支持され、その端部には大プーリ２０が取り付けられる。
一方、ケース１内には電動モータ２２が配され、該モータ２２は減速装置を介してその駆動回転軸に小プーリ２３が取り付けられ、ベルト２４を介して大プーリ２０に回転を伝動する。
この駆動・伝動機構のプーリ構造に替え、チェーン、歯車伝動、更には他の適宜の伝動構造を採ることを妨げない。
（微生物固定担体）
微生物固定担体（ろ材ともいう）は、流動状の処理対象物中にあって微生物が固定される媒体であり、好適なものとして発泡ポリプロピレン製中空円筒体のいわゆる流動床用固定担体が使用される。このものは、直径１０ｍｍ、高さ１０ｍｍ、厚さ１ｍｍ、比重０．９をなし、発泡体の間隙中に微生物が固定される。
該合成樹脂製流動床用固定担体に加えて、本実施形態では籾がらが投入される。その他、微生物固定担体として、杉チップ、おが屑等が使用される。
【００１６】
集液槽１１
集液槽１１は、処理槽１０の下部に一体に配され、処理槽１０から処理済液を収集する。すなわち、底面２６は中央に向けて傾斜が附されている。
この集液槽１１に循環系４の配管の端部が接続され、処理済液は後記する残滓部３、更には処理槽１０へ送られる。
処理部２において、処理槽１０及び又は集液槽１１に保温のための加熱手段が配される。
【００１７】
残滓部３（図１、図２、図４〜図６、図１３参照）
残滓部３は、大型の貯液槽（残滓槽ともいう）２８を主体とし、ケース１内の端部に配され、処理部２からの処理済液を受け入れる。
貯液槽２８は本実施形態では３つの区画室（２８Ａ，２８Ｂ，２８Ｃ）を有し、処理済液は１次区画室２８Ａから２次区画室２８Ｂ，３次区画室２８Ｃへと順次流れる。
重要なことは、１次区画室２８Ａには点滴装置５が配され、微生物の点滴補給がなされることである。また、２次区画室２８Ｂ以降（少なくとも２次区画室２８Ｂ）には微生物固化担体が投入されるとともに、曝気管（４３）が配され、曝気が施される。該貯液槽２８内に投入される微生物固化担体として、合成樹脂製細糸体よりなるものが好適なものとして使用される。なお、１次区画室２８Ａにも微生物固化担体が投入されるとともに、曝気管が配されることを妨げるものではない。
区画室２８Ａ，２８Ｂ，２８Ｃは、相互に隔壁２９をもって区画され、相互に連通状となる。すなわち、隔壁２９の上縁を越流する越流方式、あるいは隔壁２９に固設された連通孔をもって連通する連通孔方式、等の態様を採る。通常、１次区画室２８Ａは他に比べ容量を小とされ、処理菌の含有された液体すなわち処理済液の希釈化を可及的阻止する。３次区画室２８Ｃ以降は適宜省略される。最終区画室（３次区画室２８Ｃ）においては、更に堰板が設けられる。
図１３に越流方式の貯液槽２８の詳細を示す。１次区画室２８Ａは前記した集液槽１１から圧送されてくる処理済液を受け入れ、沈殿部として機能し、後記する配管（３２Ｃ）によりリターンポンプ（３６）をもって還流される。１次区画室２８Ａから２次区画室２８Ｂへは、隔壁２９の上部に開設された連通孔６０の前方に邪魔板６１が狭い間隔通路６２を介して貯液槽２８の天井から垂設される。処理済液はこの通路６２から連通孔６０を介して２次区画室２８Ｂに流れる。残留物はこの通路６２から排除され、１次区画室２８Ａの貯留水の上面に残る。
この構成は、２次・３次区画室２８Ｂ，２８Ｃの間においても同様であり、処理済液は２次・３次区画室２８Ｂ，２８Ｃへ流下するにつれ、清明化される。
最終区画室（３次区画室２８Ｃ）からは排出管３０が導出され、ケース１を貫通して外部へ取り出される。排出管３０には適宜、開閉弁（電磁操作可能、図示せず）が設けられる。
なお、各区画室２８Ａ，２８Ｂ，２８Ｃの底部もしくは底面に臨む側面には栓付き排出孔（図示せず）が配され、洗浄の際には各区画室２８Ａ，２８Ｂ，２８Ｃに残る処理済液を排出する。
この貯液槽２８には、後記する点滴装置及び曝気管の外、保温のための加熱手段が設けられる。
【００１８】
循環系４（図５、図６、図１４参照）
循環系４は、処理部２と残滓部３との間に配される配管３２、並びに該配管３２中に配されるポンプ（電磁式）・弁（電磁弁）をもって、該処理部２と残滓部３との間での処理済液を循環させる機能をなす。
もっと詳しくは、集液槽１１から貯液槽２８に至る配管３２Ａには、揚液ポンプ（バイオポンプ、リターンポンプ）３３、電磁弁３４が配される。配管３２Ａから処理槽１０に至る配管３２Ｂが分岐され、該配管３２Ｂに電磁弁３５が介装される。
更には、貯液槽２８から処理槽１０には配管３２Ｃが配され、揚液ポンプ３６をもって処理済液を処理槽１０に還流される。
揚液ポンプ３６は図例では貯液槽２８内に配されているが、外部に設けてもよいことは勿論である。
リターンポンプ３３の駆動により、集液槽１１の処理済液は通常開となっている電磁弁３４（電磁弁３５は閉）を介して貯液槽２８に導かれる。更に、揚液ポンプ３６の駆動により、処理済液は処理槽１０へ帰還される。
また場合において、電磁弁３５が開とされ、貯液槽２８を経由せず、直接的に処理済液は処理槽１０へ還流される。
図１４に配管３２Ｃ中に残留物除去装置６５を介装する態様を示す。該残留物除去装置６５は円筒容器よりなり、揚液ポンプ３６により送り込まれる圧力水が該容器内の邪魔板６６に遮られて下方へ渦を巻いて流れ、その後上昇水流となり、その過程で生じる淀み部で残留物Ｚが堆積する。残留物Ｚの除去は円筒容器の下部分に設けた排出孔（図示せず）より適時に排出するか、あるいは蓋部分６５Ａと下部分６５Ｂとを分離して掻き出すことによってなされる。なお、該残留物除去装置６５は配管３２Ｂにも設けることができる。
この残留物除去装置６５により、上記した１次・２次・３次区画室２８Ａ，２８Ｂ，２８Ｃでの残留物処理に加え、更に除去能力が増大する。
【００１９】
バイオ点滴部５
貯液槽２８の１次区画室２８Ａに臨んで、微生物を適宜にわたって点滴補給するバイオ点滴部５が配される。
該バイオ点滴部５は、微生物の貯留されるタンク３８、該タンク３８より延設され、微生物を１次区画室２８Ａへ導く点滴管３９、タンク３８と点滴管３９とに介装され、制御信号を受けて開閉される点滴バルブ（点滴ポンプ）４０からなる。バイオ点滴部５はまた、ポンプ方式をもって処理済液を導出してもよい。
【００２０】
以上の外、処理部２及び又は残滓部３に曝気系４２及び給水系４７が配される。
（曝気系４２）
曝気系４２は、貯液槽２８内に配され、曝気管４３、曝気ポンプ４４及びフィルター４５、の各構成要素からなる。すなわち、曝気管４３は貯液槽２８の中央部下方部に長手方向に配され、上手部に気体が噴出する小孔が多数開設されてなる。該曝気管４３はケース１内において貯液槽２８外の曝気ポンプ４４に接続される。該曝気ポンプ４４は電動式で、その駆動によりフィルター４５を介して取り入れられた空気を曝気管４３に圧送する。曝気管４３より送り出される空気、就中、酸素により貯留液Ｗ中の微生物は活性化する。
【００２１】
（給水系）
処理槽１０内には循環水放出管１４に相平行して散水管ａが配され、また、貯液槽２８にもその上部に散水管ｂが配される。該散水管は外部の水道管に連通してその途中に電磁弁ｃが介装され、該電磁弁ｃの開閉動作を受けて散水される。散水管ａ，ｂには多数の小孔が開設され、これらの孔より処理槽１０内、及び貯液槽２８内に散水する。この散水により、処理槽１０内においては生ゴミに適度な湿潤度を与え、貯液槽２８内においては処理済液の希釈をなす。
なお、給水源を公共の水道管に採る場合、当該水道水の残留塩素を除去するフィルターを経由することは適宜採択される設計的配慮である。
【００２２】
（保温手段）
処理槽１０の下部、及び少なくとも集液槽１１の外側に、加熱手段（ヒーター）が配される。貯液槽２８の外側にも同じく加熱手段（ヒーター）が配される得る。該加熱手段は電気発熱体、すなわちニクロム線を主体とし、温度調節材、温度検知器が付加されるとともに、防水手段が施される。該加熱手段をもって、本処理部２及び又は残滓部２（貯液槽２８）内の貯留液の温度を２５℃〜３０℃に保つ。
（排気手段）
ケース１、あるいは処理槽１０に排気手段として電動式のファン（ＦＡＮ）が外付けで取り付けられる。すなわち、処理槽１０内の臭気を電動式のファンの駆動により配管を持って吸い出し、外部へ放出する。
【００２３】
投入部７
ケース１の上部には処理部２の処理槽１０に臨んで投入部７が設けられる。
投入部７より投入される生ゴミは投入部内に設けられた密封扉を開扉して処理槽１０内に投入されるので、処理槽１０内の臭気は外部に逸出することはない。従って、臭気の逸出を防止するものであれば、どの機構のものを採用してもよい。
【００２４】
（設定）
本生ゴミ処理機Ｓの駆動は主として電動・電磁式を採り、所定の制御方式に基づいて駆動されるが、手動を除外するものではない。
その制御方式・手順は、以下の記述のとおりシーケンス制御方式を採り、自動的になされるので人手を省け、省力化を図れ、便利であるが、適宜手作動によることは勿論差し支えない。更に、シーケンス制御によらず、コンピュータによるプログラム制御によることもできる。
本生ゴミ処理機Ｓの給水系は塩素除去装置を介して外部の水道管に接続され、排水系は外部の下水道管に接続される。また、電気系は外部電源より供給される。
バイオ点滴は、主動操作（主運転）の合間に、時間を区切って短時間の間になされ、バイオの補給に支障を来さないように設定される。
【００２５】
（制御諸元）
シーケンス（順序）制御において、３６０秒を主サイクルとして進行する。該主サイクルにおいて、攪拌は１８０秒、バイオポンプ作動は１８０秒、散水は３０秒を採る（その他、排気ファン２４０秒、注水３０秒等）。この間、投入部の開放、１次区画室の処理済液の下限並びに上限を検知して、命令に取り入れられる。
また、バイオ点滴は３０秒をもってなされるが、１２時間間隔とされる。
【００２６】
（他の実施形態）
本発明の第２実施形態の湿式微生物循環式生ゴミ処理機においては、バイオ点滴部が集液槽１１に設けられてなることを特徴とする。その他の構成は、バイオ点滴部を除いて、第１実施形態に準じる。
その具体的構造を、先の図１〜図６、及び図７をもって説明する。
図７において、バイオ点滴部５Ａが集液槽１１に臨んで設けられる。該バイオ点滴部５Ａは、図６に示す構成（タンク３８、点滴管３９、点滴バルブ４０）に準じ、その詳細な説明は省略する。
しかして、集液槽１１内の処理済液は該バイオ点滴部５Ａより適宜に適当量の微生物の補給を受け、希釈されることなく、通常において揚液ポンプ３３により電磁バルブ３５を介して配管３２Ｂに流れ、放出管１４より処理槽１０内に還流される。また、該処理済液の一部は電磁バルブ３４を介して配管３２Ａに流れ、貯液槽２８の１次区画室２８Ａに導入される。該１次区画室２８Ａにおいては、処理済液は適当濃度を保持し、適宜揚液ポンプ３６の作動により配管３２Ｃを介して処理槽１０に戻される。
【００２７】
図８〜図１２は電気系の展開接続図を示す。
図８に示されるように、電源は三相電源２００Ｖ２０Ａが使用される。三相配線をもって、ＧＭ１（攪拌機用モーター２２、０．２kw）、ＩＭ２（バイオポンプ（リターンポンプ）３３、０．４kw）、ＨＦ（排気ファン、１００Ｖ用０．０５５kw毎分１９００〜２３００立方メートル）が接続される。その後の二相配線において、ＭＣ１（攪拌機正転）、ＭＣ２（攪拌機逆転）、ＭＣ３（ヒータ）、ＭＣ４（バイオポンプ）がそれぞれ接続される。攪拌機は異常を検知したとき逆転する。
【００２８】
図９に示されるように、二相配線において、メモリー５０，５１、５２が各接続され、更に、凍結防止ヒータ、バイオ点滴ポンプが接続される。
図１０及び図１１にメモリー５０のメモリー内容を示す。
図１２は本制御系のタイマーの設定値の例を示す。
【００２９】
当該電気系において制御手順が具体化されたものであり、いわゆるシーケンス制御を採る。これにより、本生ゴミ処理装置Ｓの操作は自動化され、人手を介さず、大きな利便性を得る。
【００３０】
本実施形態の生ゴミ処理装置Ｓの使用態様並びに作用に付いて説明する。
ここに述べられる生ゴミ処理装置Ｓは、微生物は好気性菌もしくは通気嫌気性菌のものを使用し、微生物の担持体に籾がらを使用する。
以下、工程順に従って述べる。
【００３１】
(1) 先ず、投入部７より、本生ゴミ処理装置Ｓの処理槽１０内に微生物の担持体とともに生ゴミがそれぞれ所定量投入される。微生物の担持体として所定量の籾がらが投入され、生ゴミは日処理量に従って所定量投入される。その目安として、攪拌手段１３の回転軸１７がやや埋まる程度（約１０cm）とされる。
【００３２】
(2) 攪拌手段１３を作動し、その攪拌翼１８により生ゴミと担持体とを一定時間攪拌させる。循環水放出管１４より処理済液が散布される。また、散水管より生ゴミに適宜清水が散布される。微生物は生ゴミに作用し、分解していく。生ゴミの含有水分・散水は処理槽１０の底部の小孔１６ａよりその下の集液槽１１に落下し、処理済液として貯留される。この貯留水には微生物が含まれている。
攪拌手段１３は一定時間作動したのち、休止し、間欠動作を採るものとするが、この態様に限定されない。また、循環水放出管１４による処理済液の散布、並びに散水管による散水はその散布・散水量にもよるが、標準的には攪拌時間よりも短めになされるが、これに限定されない。
【００３３】
(3) 集液槽１１において、処理済液が集液される。循環系４の揚液ポンプ３３が作動しない状態で、その液位が上昇する。
集液槽１１に処理済液が一定量溜まると、揚液ポンプ３３の作動により、配管３２Ａを介して貯液槽２８へ送られる。
【００３４】
(4) 貯液槽２８では、処理済液は１次区画室２８Ａにおいて沈殿作用を受け、残留物が一旦滞留する。更に処理済液は１次区画室２８Ａから順次２次区画室２８Ｂ、３次区画室２８Ｃへと流れ、順次浄化されつつ貯留される。
すなわち、貯液槽２８に収容された微生物固化担体に保持された微生物により、処理済液は１次区画室２８Ａから２次区画室２８Ｂ、３次区画室２８Ｃへと流下する過程で浄化される。特に、越流方式の貯液槽にあっては、区画室２８Ａ，２８Ｂ，２８Ｃ相互に残留物除去手段が講じられているので、残留物は可及的２次以降の区画室に流れ込まず、残留物は更に処理槽１０へと還流処理される。更に、この浄化作用は曝気作用により促進されるものであり、３次区画室２８Ｃに至るときには、処理済液は澄みきった水になる。
【００３５】
(5) 貯液槽２８の処理済液は、送気ポンプ４４の作動により、フィルター４５を介して取り込まれた空気、就中、酸素を曝気管４３を介して曝気作用を受け、微生物の活性化を促進する。好気性菌の増殖に寄与する。
また、加熱手段（ヒーター）により保温され、微生物を保持する。
これらの曝気作用並びに加熱作用は持続的になされる。
【００３６】
(6) 貯液槽２８の１次区画室２８Ａにおいて、揚液ポンプ３６の作動により処理済液が配管３２Ｃに送り出され、処理槽１０内の循環水放出管１４より放出される。
更に、この１次区画室２８Ａにおいて、微生物の補給装置５より、所定の条件（例えば１２時間間隔で、３０秒）で微生物への補給を受け、微生物の濃度が薄まることはない。
【００３７】
(7) 上記の工程により、生ゴミは遂時分解処理され、処理槽１０内での容量を減少させる。
しかる後、更に生ゴミが投入される。
この生ゴミの投入に際しては、攪拌手段１３による攪拌動作は停止され、同時に散水管による散水並びに循環水放出管１４からの微生物含有液の散布は停止される。
【００３８】
(8) 叙上の工程、すなわち初期工程(1) を除き、(2) 〜(7) の工程を繰り返し、引き続き投入される生ゴミも叙上の過程を経て、処理される。
この間、籾がらの減少に応じて適時に補給される。
【００３９】
(9) 上記の工程において、貯液槽２８の最終区画室２８Ｃから処理済液が外部へ排出される。
【００４０】
叙上の工程において、処理部２及び残滓部３を通じて湿式環境を保持し、かつ曝気作用を受けるので、微生物は好気性を発揮し、好気性菌が増殖し、良好な分解処理をなすばかりでなく、悪臭を出すことはない。
【００４１】
時間的経過の一例を示す。
攪拌機、バイオポンプ（揚液ポンプ）はそれぞれ３０分間作動、散水バルブ、給水バルブはそれぞれ１０分間作動、ヒーター、曝気ポンプ、排気ファン、はそれぞれ持続作動、を採る。
開始に伴い、ヒーター温度制御がオンされるとともに、曝気ポンプ、排気ファンもオンされる。
投入口を閉じると、その近接スイッチが閉（オン）となり、攪拌機、バイオポンプが作動し続け、同時に散水バルブ、も作動する。
３０分後、攪拌機及びバイオポンプは停止し、続いて注水バルブが作動（１０分間）する。注水バルブが停止すると、生ゴミ処理機は定常状態となり、ヒーター、曝気ポンプ、排気ファン、はそれぞれ作動し続ける。
６０分後、上記の作動を繰り返す。
【００４２】
本実施形態の生ゴミ処理機Ｓは叙上の構成よりなり、作用を奏するものであるので、以下の効果を有する。
処理部２及び残滓部３を通じて、微生物は湿式環境の中で活動し、かつ、処理部２及び残滓部３を循環するので、微生物は有効に使用され、分解処理能力が向上するとともに、生ゴミ有機物は貯留水中に分解消滅され、生ゴミの減容率は１００％となる。また、生ゴミの水切りも不要である。
微生物は循環使用され、かつ、曝気作用並びに保温作用により、微生物は好気性を発揮し、好気性菌が増殖し、微生物の消耗が減少し、菌担持体の全交換の必要がないか、交換時期が著しく長期化し、維持費用が低減する。
残滓部３に導かれた処理済液は１次区画室２８Ａで沈殿作用を受け、残留物（スラッジ）を２次以降の区画室２８Ｂ，２８Ｃに送らず、更に処理部２に還流して処理をなし、残留物のない生ゴミ処理をなすことができる。
残滓部３での処理済液は２次以降の区画室２８Ｂ，２８Ｃを流下する過程で、残留物を濾過し、清明な処理水となり、放流をなすことができる。
また、微生物は処理済液中に貯液槽２８の１次区画室２８Ａにおいて有効に保持されるので、希釈度を大きく低下させることができ、微生物の消耗は大きく減少する。これにより、大容量の生ゴミ処理に対処することが可能となる。
加えて、微生物の補給が当該処理済液中に継続して定期的になされ、効率化を図ることができる。
処理済液を貯液する槽２８を処理部とは別位置に配したことにより、大量の生ゴミを扱うことが可能となる。
【００４３】
本発明は上記実施の形態に限定されるものではなく、本発明の基本的技術思想の範囲内で種々設計変更が可能である。すなわち、以下の態様は本発明の技術的範囲内に包含されるものである。
▲１▼先の実施例では貯液槽２８を集液槽１１と別置きとしたが、集液槽１１の下方に設置する態様（縦置き式）を採り得る。この態様は小型の装置に適用されるものであり、該態様においても、貯液槽は複数の区画室からなる。
この縦置き式によれば、集液槽１１は小型で済み、かつ、集液槽１１から貯液槽２８へは自然流下で済むので、揚液ポンプ（バイオポンプ）が不要となる。
【００４４】
【発明の効果】
本発明によれば、処理部（処理槽及び集液槽）及び残滓部（貯液槽）を通じて、微生物は湿式環境の中で活動し、かつ、処理部及び残滓部を循環するので、生ゴミ対する微生物は有効に使用され、分解処理能力が向上する。
微生物は循環使用されるので、微生物の消耗が減少し、菌担持体の全交換の必要がなく、維持費用が低減する。
残滓部に導かれた処理済液は１次区画室で沈殿作用を受け、残留物（スラッジ）を２次以降の区画室に送らず、更に処理部に送り処理をなし、残留物のない生ゴミ処理をなすことができる。
微生物は処理済液中に特定部位（残滓部の１次区画室）において有効に保持されるので、希釈度を大きく低下させることができ、微生物の消耗は大きく減少する。これにより、大容量の生ゴミ処理に対処することが可能となる。
加えて、微生物の補給が当該処理済液中に継続して定期的になされ、効率化を図ることができる。
処理済液を貯液する槽を処理部とは別位置に配する態様においては、大量の生ゴミを扱うことが可能となる。
【図面の簡単な説明】
【図１】本発明の湿式微生物循環式生ゴミ処理機（生ゴミ処理機）の一実施形態の全体構成を示す後面側から見た縦断面図。
【図２】図１の２−２線断面図。
【図３】図１の３−３線断面図。
【図４】図１の４−４線断面図。
【図５】循環系の構成図。
【図６】循環系全体の概念構成図。
【図７】本発明の他の実施形態を示す部分図。
【図８】電気系統の展開接続図▲１▼。
【図９】電気系統の展開接続図▲２▼。
【図１０】電気系統の部分図。
【図１１】電気系統の部分図。
【図１２】タイマーの設定値リスト。
【図１３】越流方式の貯液槽の構成を示す一部拡大断面図。
【図１４】（ａ）図は循環系の配管に残留物除去装置を介装させた回路図。
（ｂ）図は残留物除去装置の詳細構造図。
【符号の説明】
Ｓ…微生物循環式生ゴミ処理機、１…ケース、２…処理部、３…残滓部、４…循環系、５バイオ点滴部、７投入部、１０…処理槽、１１…貯液槽、１３…攪拌手段、１４…循環水放出管、２８…貯液槽、２８Ａ…１次区画室、２８Ｂ…２次区画室、２８Ｃ…３次区画室、３３，３６…揚液ポンプ（バイオポンプ、リターンポンプ）、４２…曝気手段、６２，６５…残留物除去手段
【図１】
0003728229.tif 000002
【図２】
0003728229.tif 000003
【図３】
0003728229.tif 000004
【図４】
0003728229.tif 000005
【図５】
0003728229.tif 000006
【図６】
0003728229.tif 000007
【図７】
0003728229.tif 000008
【図８】
0003728229.tif 000009
【図９】
0003728229.tif 000010
【図１０】
0003728229.tif 000011
【図１１】
0003728229.tif 000012
【図１２】
0003728229.tif 000013
【図１３】
0003728229.tif 000014
【図１４】
0003728229.tif 000015